【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
装置本体に対しカートリッジを着脱可能な画像形成装置であって、
前記カートリッジは、
第１の軸線の周りに回転可能な第１の回転部材と、
第２の軸線の周りに回転可能な第２の回転部材と、
前記第１の回転部材と前記装置本体とを結合するためのカップリングを構成する第１の結合部と、
前記第２の回転部材を駆動させるための第１のギアと、
を有し、
前記装置本体は、
駆動源と、
前記第１のギアと噛合う第２のギアと、第１の係合部と、を備え、駆動力を伝達する第１の伝達部材と、
前記第１の結合部と共に前記カップリングを構成する第２の結合部と、前記第１の係合部と係合可能な第２の係合部と、を備え、前記第１の伝達部材と同軸に設けられ、前記第１の伝達部材に対し相対的に回転可能であって、駆動力を伝達する第２の伝達部材と、
を有し、
前記カートリッジを前記装置本体に装着した第１の状態において、前記第１のギアと前記第２のギアが噛合い、かつ前記第１の結合部と前記第２の結合部が結合しておらず、かつ前記第１の係合部と前記第２の係合部が係合していない場合、前記第１の状態から前記駆動源を駆動すると、前記第１の係合部と前記第２の係合部が係合するまで前記第１の伝達部材が回転することなく前記第２の伝達部材が回転し、前記第１の係合部と前記第２の係合部が係合した後、前記第１の伝達部材と前記第２の伝達部材が一体的に回転する第２の状態となり、
前記第１の状態から前記第２の状態に至る間に、前記第１の結合部と前記第２の結合部が結合することを特徴とする画像形成装置。
【請求項２】
前記第１の係合部と前記第２の係合部は、前記第１の軸線に対する周方向において前記第１の状態から前記第２の状態の間で遊びがあり、
前記第１の状態において、前記第１の係合部と前記第２の係合部とが前記第１の軸線に対する周方向に離間し、
前記第２の状態において、前記第１の係合部と前記第２の係合部とが前記第１の軸線に対する周方向に当接することを特徴とする請求項１に記載の画像形成装置。
【請求項３】
前記第１の伝達部材と前記第２の伝達部材の間に付勢部材を有し、
前記カートリッジを前記装置本体から離脱させた第３の状態において、前記付勢部材によって前記第１の係合部と前記第２の係合部とが係合しない状態に戻されることを特徴とする請求項２に記載の画像形成装置。
【請求項４】
前記第１の係合部と前記第２の係合部は、前記第１の軸線の方向において前記第１の状態から前記第２の状態の間で遊びがあり、
前記第１の状態において、前記第１の係合部と前記第２の係合部とが前記第１の軸線の方向に離間し、
前記第２の状態において、前記第１の係合部と前記第２の係合部とが前記第１の軸線の方向に当接することを特徴とする請求項１に記載の画像形成装置。
【請求項５】
前記第１の伝達部材と前記第２の伝達部材の間に付勢部材を有し、
前記カートリッジを前記装置本体から離脱させた第３の状態において、前記付勢部材によって前記第１の係合部と前記第２の係合部とが係合しない状態に戻されることを特徴とする請求項４に記載の画像形成装置。
【請求項６】
前記装置本体は前記カートリッジを着脱させるための開閉扉を有し、
前記開閉扉の開動作に連動して前記第１の係合部と前記第２の係合部とが係合しない状態に戻されることを特徴とする請求項３または５に記載の画像形成装置。
【請求項７】
前記装置本体は前記カートリッジを着脱させるための開閉扉を有し、
前記開閉扉の開動作に連動して，前記第２の伝達部材は前記第１の軸線に沿った方向で前記第１の回転部材の位置から離れる方向に移動することを特徴とする請求項１乃至６のいずれか１項に記載の画像形成装置。
【請求項８】
前記第２のギアと前記第２の結合部は同軸に設けられることを特徴とする請求項１乃至７のいずれか１項に記載の画像形成装置。
【請求項９】
前記第１の結合部と前記第２の結合部とが、結合できる位相と結合できない位相とを備え、
前記第１の状態から前記第２の状態となるまでに前記第２の伝達部材の前記第１の伝達部材に対する相対的に回転可能な角度を第１の角度とし、
前記結合できる位相から次に結合できる位相までの角度を第２の角度とするとき、
前記第１の角度は前記第２の角度より大きいことを特徴とする請求項１乃至８のいずれか１項に記載の画像形成装置。
【請求項１０】
前記第１の結合部は、前記第１の軸線に直交する断面が三角形状の凸部または凹部であり、かつ前記第２の結合部は、前記第１の結合部とは凹凸が逆で前記第１の軸線に直交する断面が三角形状の凹部または凸部であることを特徴とする請求項９に記載の画像形成装置。
【請求項１１】
前記開閉扉の開動作に連動して前記第１の伝達部材が前記第１の軸線の方向に移動しても、前記第１のギアと前記第２のギアは噛合っていることを特徴とする請求項７に記載の画像形成装置。
【請求項１２】
前記駆動源からの駆動力を伝達する駆動ギアと、前記第２の伝達部材に設けられ、前記駆動ギアと噛合い前記第２のギアと同軸に設けられる第３のギアと、を有し、
前記第１の軸線に直交する断面において、
前記第１のギアと前記第２のギアとの噛合い部は、前記第２の伝達部材の回転中心を通り前記カートリッジの前記装置本体への装着方向に直交する直線よりも上流側に配置され、
前記駆動ギアと前記第３のギアとの噛合い部は、前記直線よりも下流側に配置されることを特徴とする請求項１乃至１１のいずれか１項に記載の画像形成装置。
【請求項１３】
前記第１の結合部は前記第１の回転部材の前記第１の軸線の方向における一端部に設けられることを特徴とする請求項１乃至１２のいずれか１項に記載の画像形成装置。
【請求項１４】
前記第１のギアは前記第２の回転部材の前記第２の軸線の方向における一端部に設けられることを特徴とする請求項１乃至１３のいずれか１項に記載の画像形成装置。
【請求項１５】
前記駆動源からの駆動力を伝達する駆動ギアと、前記第２の伝達部材に設けられ、前記駆動ギアと噛合い前記第２のギアと同軸に設けられる第３のギアと、を有し、
前記第１の軸線の方向において、前記第１の結合部と前記第２の結合部が結合される第１の位置と、前記第１のギアと前記第２のギアが噛合う第２の位置と、前記第３のギアと前記駆動ギアが噛合う第３の位置と、が順に配置されていることを特徴とする請求項１乃至１４のいずれか１項に記載の画像形成装置。
【請求項１６】
前記第１の軸線に直交する断面で、前記第１の軸線からの半径方向において、
前記第２のギアの最大半径は、前記第２の係合部における最大半径より大きいことを特徴とする請求項１乃至１５のいずれか１項に記載の画像形成装置。
【請求項１７】
前記第２の伝達部材は、前記駆動源から駆動力を伝達されて回転することで、前記第１の軸線の方向で前記第１の回転部材の位置に近づくように移動して当接する位置決め部を備えることを特徴とする請求項１乃至１６のいずれか１項に記載の画像形成装置。
【請求項１８】
装置本体に対しカートリッジを着脱可能な画像形成装置であって、
前記カートリッジは、
第１の軸線の周りに回転可能な第１の回転部材と、
第２の軸線の周りに回転可能な第２の回転部材と、
前記第１の回転部材と前記装置本体とを結合するためのカップリングを構成する第１の結合部と、
前記第２の回転部材を駆動させるための第１のギアと、
を有し、
前記装置本体は、
駆動源と、
前記第１のギアと噛合う第２のギアと、前記第１の回転部材および前記第２の回転部材を一体回転するための第１の係合部と、を備え、駆動力を伝達する第１の伝達部材と、
前記第１の結合部と共に前記カップリングを構成する第２の結合部と、前記第１の係合部と係合可能な第２の係合部と、を備え、前記第１の伝達部材と同軸に設けられ、前記第１の伝達部材に対し相対的に回転可能であって、駆動力を伝達する第２の伝達部材と、
前記第１の伝達部材と前記第２の伝達部材の間に設けられる付勢部材と、
を有し、
前記第１の係合部と前記第２の係合部が係合する前に、前記第１の伝達部材が回転しない状態で前記第２の伝達部材が回転し、前記第１の結合部と前記第２の結合部が結合されるように、前記第１の係合部と前記第２の係合部に隙間が設けられていることを特徴とする画像形成装置。
【手続補正２】
【補正対象書類名】明細書
【補正対象項目名】０００８
【補正方法】変更
【補正の内容】
【０００８】
上記目的を達成するため、本発明に係る画像形成装置は、装置本体に対しカートリッジを着脱可能な画像形成装置であって、前記カートリッジは、第１の軸線の周りに回転可能な第１の回転部材と、第２の軸線の周りに回転可能な第２の回転部材と、前記第１の回転部材と前記装置本体とを結合するためのカップリングを構成する第１の結合部と、前記第２の回転部材を駆動させるための第１のギアと、を有し、前記装置本体は、駆動源と、前記第１のギアと噛合う第２のギアと、第１の係合部と、を備え、駆動力を伝達する第１の伝達部材と、前記第１の結合部と共に前記カップリングを構成する第２の結合部と、前記第１の係合部と係合可能な第２の係合部と、を備え、前記第１の伝達部材と同軸に設けられ、前記第１の伝達部材に対し相対的に回転可能であって、駆動力を伝達する第２の伝達部材と、を有し、前記カートリッジを前記装置本体に装着した第１の状態において、前記第１のギアと前記第２のギアが噛合い、かつ前記第１の結合部と前記第２の結合部が結合しておらず、かつ前記第１の係合部と前記第２の係合部が係合していない場合、前記第１の状態から前記駆動源を駆動すると、前記第１の係合部と前記第２の係合部が係合するまで前記第１の伝達部材が回転することなく前記第２の伝達部材が回転し、前記第１の係合部と前記第２の係合部が係合した後、前記第１の伝達部材と前記第２の伝達部材が一体的に回転する第２の状態となり、前記第１の状態から前記第２の状態に至る間に、前記第１の結合部と前記第２の結合部が結合することを特徴とする。